(57)【特許請求の範囲】
【請求項１】
予め定められている規則に基づいて音楽ファイルをジャンル別に分類する分類手段と、
前記音楽ファイルとそのジャンル名とを対応づけて記憶する記憶手段と、
予め定められた第１のユーザ操作によって前記記憶媒体内にあるジャンル名、及び／又はそのジャンルに属する音楽ファイルのファイル数を一覧表示する第１の表示手段と、
前記第１の表示手段によって一覧表示されたジャンルの中から再生対象ジャンルを選択する第１の選択手段と、
前記第１の選択手段によって選択された再生対象ジャンルに属する音楽ファイルを再生する第１の再生手段とを具備し、
各音楽ファイルがその記録日時とともに前記記録媒体に記録されていた場合、
予め定められた第２のユーザ操作によって前記記憶媒体内にある音楽ファイルのファイル名とその記録日時とを一覧表示する第２の表示手段と、
前記第２の表示手段によって一覧表示された音楽ファイルの中から再生対象ファイルを選択する第２の選択手段と、
前記第２の選択手段によって選択された再生対象ファイルを再生する第２の再生手段とを具備し、
少なくとも１つのディレクトリが前記記録媒体内に存在し、前記ディレクトリの下に位置付けられている音楽ファイルの情報と、前記ディレクトリの作成日時とが前記記録媒体に記憶されていた場合、
予め定められた第３のユーザ操作によって前記記憶媒体内にあるディレクトリのディレクトリ名とそのディレクトリの作成日時とを一覧表示する第３の表示手段と、
前記第３の表示手段によって一覧表示されたディレクトリの中から再生対象ディレクトリを選択する第３の選択手段と、
前記第３の選択手段によって選択された再生対象ディレクトリの下に位置する音楽ファイルを再生する第３の再生手段と
を具備し、
さらに、
表示対象ジャンルを指定する指定手段と、
前記表示対象ジャンルに該当するジャンル名、及び／又はそのジャンルに属する音楽ファイルのファイル数を表示する第４の表示手段と、
前記第４の表示手段によって表示されたジャンルに属する音楽ファイルを再生する第４の再生手段と
を具備し、
前記第４の表示手段によって複数のジャンルが表示された場合、
前記複数のジャンルの中から再生対象ジャンルを選択する第４の選択手段と、
前記第４の選択手段によって選択された再生対象ジャンルに属する音楽ファイルを再生する第５の再生手段と
を具備したことを特徴とするオーディオプレーヤー。
【請求項２】
予め定められている規則に基づいて音楽ファイルをジャンル別に分類する分類手段と、
前記音楽ファイルとそのジャンル名とを対応づけて記憶する記憶手段と、
予め定められた第１のユーザ操作によって前記記憶媒体内にあるジャンル名、及び／又はそのジャンルに属する音楽ファイルのファイル数を一覧表示する第１の表示手段と、
前記第１の表示手段によって一覧表示されたジャンルの中から再生対象ジャンルを選択する第１の選択手段と、
前記第１の選択手段によって選択された再生対象ジャンルに属する音楽ファイルを再生する第１の再生手段とを具備し、
各音楽ファイルがその記録日時とともに前記記録媒体に記録されていた場合、
予め定められた第２のユーザ操作によって前記記憶媒体内にある音楽ファイルのファイル名とその記録日時とを一覧表示する第２の表示手段と、
前記第２の表示手段によって一覧表示された音楽ファイルの中から再生対象ファイルを選択する第２の選択手段と、
前記第２の選択手段によって選択された再生対象ファイルを再生する第２の再生手段とを具備し、
少なくとも１つのディレクトリが前記記録媒体内に存在し、前記ディレクトリの下に位置付けられている音楽ファイルの情報と、前記ディレクトリの作成日時とが前記記録媒体に記憶されていた場合、
予め定められた第３のユーザ操作によって前記記憶媒体内にあるディレクトリのディレクトリ名とそのディレクトリの作成日時とを一覧表示する第３の表示手段と、
前記第３の表示手段によって一覧表示されたディレクトリの中から再生対象ディレクトリを選択する第３の選択手段と、
前記第３の選択手段によって選択された再生対象ディレクトリの下に位置する音楽ファイルを再生する第３の再生手段と
を具備し、
さらに、
表示対象期間を指定する指定手段と、
前記表示対象期間に記録された音楽ファイルのファイル数、ファイル名、及び／又は各ファイルの記憶日時を表示する第４の表示手段と、
前記第４の表示手段によって表示された音楽ファイルを再生する第４の再生手段と
を具備し、
さらに、
最大検索数を設定する設定手段を設け、
前記表示対象期間に記録された音楽ファイルのファイル数が前記最大検索数を上回った場合には、
前記最大検索数のみの音楽ファイルのファイル数、ファイル名、及び／又は各音楽ファイルの記憶日時を表示する第５の表示手段と、
前記第５の表示手段によって表示された音楽ファイルを再生する第５の再生手段と
を具備したことを特徴とするオーディオプレーヤー。
【請求項３】
請求項２に記載のオーディオプレーヤーにおいて、
前記第４または第５の表示手段によって複数のファイルが表示された場合、
前記複数のファイルの中から再生対象ファイルを選択する第４の選択手段と、
前記第４の選択手段によって選択された再生対象ファイルを再生する第６の再生手段と
を具備したことを特徴とするオーディオプレーヤー。
【請求項４】
予め定められている規則に基づいて音楽ファイルをジャンル別に分類する分類手段と、
前記音楽ファイルとそのジャンル名とを対応づけて記憶する記憶手段と、
予め定められた第１のユーザ操作によって前記記憶媒体内にあるジャンル名、及び／又はそのジャンルに属する音楽ファイルのファイル数を一覧表示する第１の表示手段と、
前記第１の表示手段によって一覧表示されたジャンルの中から再生対象ジャンルを選択する第１の選択手段と、
前記第１の選択手段によって選択された再生対象ジャンルに属する音楽ファイルを再生する第１の再生手段とを具備し、
各音楽ファイルがその記録日時とともに前記記録媒体に記録されていた場合、
予め定められた第２のユーザ操作によって前記記憶媒体内にある音楽ファイルのファイル名とその記録日時とを一覧表示する第２の表示手段と、
前記第２の表示手段によって一覧表示された音楽ファイルの中から再生対象ファイルを選択する第２の選択手段と、
前記第２の選択手段によって選択された再生対象ファイルを再生する第２の再生手段とを具備し、
少なくとも１つのディレクトリが前記記録媒体内に存在し、前記ディレクトリの下に位置付けられている音楽ファイルの情報と、前記ディレクトリの作成日時とが前記記録媒体に記憶されていた場合、
予め定められた第３のユーザ操作によって前記記憶媒体内にあるディレクトリのディレクトリ名とそのディレクトリの作成日時とを一覧表示する第３の表示手段と、
前記第３の表示手段によって一覧表示されたディレクトリの中から再生対象ディレクトリを選択する第３の選択手段と、
前記第３の選択手段によって選択された再生対象ディレクトリの下に位置する音楽ファイルを再生する第３の再生手段と
を具備し、
さらに、
表示対象期間を指定する指定手段と、
前記表示対象期間に作成されたディレクトリ数、ディレクトリ名、及び／又は各ディレクトリの作成日時を表示する第４の表示手段と、
前記第４の表示手段によって表示されたディレクトリの下に位置する音楽ファイルを再生する第４の再生手段と
を具備し、
さらに、
最大検索数を設定する設定手段を設け、
前記表示対象期間に作成されたディレクトリの合計数が前記最大検索数を上回った場合には、
前記最大検索数分のみのディレクトリ数、ディレクトリ名、及び／又は各ディレクトリの作成日時を表示する第５の表示手段と、
前記第５の表示手段によって表示されたディレクトリの下に位置する音楽ファイルを再生する第５の再生手段と
を具備したことを特徴とするオーディオプレーヤー。
【請求項５】
請求項４に記載のオーディオプレーヤーにおいて、
前記第４または第５の表示手段によって複数のディレクトリ名が表示された場合、
前記複数のディレクトリ名の中から再生対象ディレクトリを選択する第４の選択手段と、
前記第４の選択手段によって選択された再生対象ディレクトリの下に位置する音楽ファイルを再生する第６の再生手段と
を具備したことを特徴とするオーディオプレーヤー。
【請求項６】
請求項１に記載のオーディオプレーヤーにおいて、
前記音楽ファイルに対応付けられているジャンル名を変更する手段を具備したことを特徴とするオーディオプレーヤー。
【請求項７】
請求項２ないし５のいずれかに記載のオーディオプレーヤーにおいて、
前記表示対象期間を日付、時刻、及び／又は曜日で指定することを特徴とするオーディオプレーヤー。
【発明の詳細な説明】
【０００１】
【発明の属する技術分野】
本発明はオーディオプレーヤーに関するものであり、より具体的には、デジタルオーディオディスクを再生するオーディオプレーヤーに関する。
【０００２】
【従来の技術】
図２０及び図２１は従来のオーディオプレーヤーにおける選曲画面である。図２０において、２００１には再生中のトラック番号（Ｔｒ０１）と再生時間（１分２３秒）とが表示され、ボタン２００３の押下で現在再生中の楽曲の１つ前の楽曲を再生し、ボタン２００５の押下で現在再生中の楽曲の１つ後の楽曲を再生するような仕組みになっている。また、ディスク挿入時はボタン２００９の押下でディスクの先頭にある楽曲から再生する仕組みになっており、続けて同ボタン２００９を押下するとディスクの２曲目から再生し、ボタン２００７を押下すると選択中の楽曲の１つ手前の楽曲から選択する仕組みとなっている。
【０００３】
一方、図２１に示すジュークボックス方式のオーディオプレーヤーは、配列の中から再生させたい音楽ファイルを予め選択しておくタイプのものであり、曲一覧リスト２１０１の中から再生したい音楽ファイルを選択し、追加ボタン２１０５を押下することで複数の音楽ファイルを指定曲一覧リスト２１０３に登録しておくことができるものである。なお、指定曲一覧リスト２１０３に登録した音楽ファイルを取り消す場合には、指定曲一覧リスト２１０３から取り消したい音楽ファイルを選択して削除ボタン２１０７を押下する。指定曲一覧リスト２１０３に登録された楽曲は、再生開始の操作を行うと順番に再生される。
このように、従来のオーディオプレーヤーは、いずれも記憶媒体（以下、ディスクと称す）内の楽曲や音楽ファイルを静的な一次元配列として扱っている。
【０００４】
【発明が解決しようとする課題】
しかしながら、近年では音声圧縮技術（ＭＰ３など）が発達し、楽曲を高圧縮率でファイル化することが可能になった。これらの音声圧縮技術を適用すると、ＣＤ１枚につき１５０曲以上の音楽ファイルを記録することが可能となる。よって、従来のオーディオプレーヤーのように静的な１次元配列を操作対象の基本にし、楽曲番号や楽曲名で選曲するとなると多大の時間を要してしまう。
本発明の目的は、このような不都合に着目し、ディスク全体の記録内容がわかりやすく、さらに選曲にかかる時間を短縮できるオーディオプレーヤーを提供することである。
【０００５】
【課題を解決するための手段】
本発明の第１のオーディオプレーヤーは、予め定められている規則に基づいて音楽ファイルをジャンル別に分類する分類手段と、前記音楽ファイルとそのジャンル名とを対応づけて記憶する記憶手段と、予め定められた第１のユーザ操作によって前記記憶媒体内にあるジャンル名、及び／又はそのジャンルに属する音楽ファイルのファイル数を一覧表示する第１の表示手段と、前記第１の表示手段によって一覧表示されたジャンルの中から再生対象ジャンルを選択する第１の選択手段と、前記第１の選択手段によって選択された再生対象ジャンルに属する音楽ファイルを再生する第１の再生手段とを具備し、各音楽ファイルがその記録日時とともに前記記録媒体に記録されていた場合、予め定められた第２のユーザ操作によって前記記憶媒体内にある音楽ファイルのファイル名とその記録日時とを一覧表示する第２の表示手段と、前記第２の表示手段によって一覧表示された音楽ファイルの中から再生対象ファイルを選択する第２の選択手段と、前記第２の選択手段によって選択された再生対象ファイルを再生する第２の再生手段とを具備し、少なくとも１つのディレクトリが前記記録媒体内に存在し、前記ディレクトリの下に位置付けられている音楽ファイルの情報と、前記ディレクトリの作成日時とが前記記録媒体に記憶されていた場合、予め定められた第３のユーザ操作によって前記記憶媒体内にあるディレクトリのディレクトリ名とそのディレクトリの作成日時とを一覧表示する第３の表示手段と、前記第３の表示手段によって一覧表示されたディレクトリの中から再生対象ディレクトリを選択する第３の選択手段と、前記第３の選択手段によって選択された再生対象ディレクトリの下に位置する音楽ファイルを再生する第３の再生手段とを具備し、さらに、表示対象ジャンルを指定する指定手段と、前記表示対象ジャンルに該当するジャンル名、及び／又はそのジャンルに属する音楽ファイルのファイル数を表示する第４の表示手段と、前記第４の表示手段によって表示されたジャンルに属する音楽ファイルを再生する第４の再生手段とを具備し、前記第４の表示手段によって複数のジャンルが表示された場合、前記複数のジャンルの中から再生対象ジャンルを選択する第４の選択手段と、前記第４の選択手段によって選択された再生対象ジャンルに属する音楽ファイルを再生する第５の再生手段とを具備することを特徴とする。
【０００６】
本発明の第２のオーディオプレーヤーは、予め定められている規則に基づいて音楽ファイルをジャンル別に分類する分類手段と、前記音楽ファイルとそのジャンル名とを対応づけて記憶する記憶手段と、予め定められた第１のユーザ操作によって前記記憶媒体内にあるジャンル名、及び／又はそのジャンルに属する音楽ファイルのファイル数を一覧表示する第１の表示手段と、前記第１の表示手段によって一覧表示されたジャンルの中から再生対象ジャンルを選択する第１の選択手段と、前記第１の選択手段によって選択された再生対象ジャンルに属する音楽ファイルを再生する第１の再生手段とを具備し、各音楽ファイルがその記録日時とともに前記記録媒体に記録されていた場合、予め定められた第２のユーザ操作によって前記記憶媒体内にある音楽ファイルのファイル名とその記録日時とを一覧表示する第２の表示手段と、前記第２の表示手段によって一覧表示された音楽ファイルの中から再生対象ファイルを選択する第２の選択手段と、前記第２の選択手段によって選択された再生対象ファイルを再生する第２の再生手段とを具備し、少なくとも１つのディレクトリが前記記録媒体内に存在し、前記ディレクトリの下に位置付けられている音楽ファイルの情報と、前記ディレクトリの作成日時とが前記記録媒体に記憶されていた場合、予め定められた第３のユーザ操作によって前記記憶媒体内にあるディレクトリのディレクトリ名とそのディレクトリの作成日時とを一覧表示する第３の表示手段と、前記第３の表示手段によって一覧表示されたディレクトリの中から再生対象ディレクトリを選択する第３の選択手段と、前記第３の選択手段によって選択された再生対象ディレクトリの下に位置する音楽ファイルを再生する第３の再生手段とを具備し、さらに、表示対象期間を指定する指定手段と、前記表示対象期間に記録された音楽ファイルのファイル数、ファイル名、及び／又は各ファイルの記憶日時を表示する第４の表示手段と、前記第４の表示手段によって表示された音楽ファイルを再生する第４の再生手段とを具備し、さらに、最大検索数を設定する設定手段を設け、前記表示対象期間に記録された音楽ファイルのファイル数が前記最大検索数を上回った場合には、前記最大検索数のみの音楽ファイルのファイル数、ファイル名、及び／又は各音楽ファイルの記憶日時を表示する第５の表示手段と、前記第５の表示手段によって表示された音楽ファイルを再生する第５の再生手段とを具備することを特徴とする。
この第２のオーディオプレーヤーは、前記第４または第５の表示手段によって複数のファイルが表示された場合、前記複数のファイルの中から再生対象ファイルを選択する第４の選択手段と、前記第４の選択手段によって選択された再生対象ファイルを再生する第６の再生手段とを具備することが好ましい。
【０００７】
本発明の第３のオーディオプレーヤーは、予め定められている規則に基づいて音楽ファイルをジャンル別に分類する分類手段と、前記音楽ファイルとそのジャンル名とを対応づけて記憶する記憶手段と、予め定められた第１のユーザ操作によって前記記憶媒体内にあるジャンル名、及び／又はそのジャンルに属する音楽ファイルのファイル数を一覧表示する第１の表示手段と、前記第１の表示手段によって一覧表示されたジャンルの中から再生対象ジャンルを選択する第１の選択手段と、前記第１の選択手段によって選択された再生対象ジャンルに属する音楽ファイルを再生する第１の再生手段とを具備し、各音楽ファイルがその記録日時とともに前記記録媒体に記録されていた場合、予め定められた第２のユーザ操作によって前記記憶媒体内にある音楽ファイルのファイル名とその記録日時とを一覧表示する第２の表示手段と、前記第２の表示手段によって一覧表示された音楽ファイルの中から再生対象ファイルを選択する第２の選択手段と、前記第２の選択手段によって選択された再生対象ファイルを再生する第２の再生手段とを具備し、少なくとも１つのディレクトリが前記記録媒体内に存在し、前記ディレクトリの下に位置付けられている音楽ファイルの情報と、前記ディレクトリの作成日時とが前記記録媒体に記憶されていた場合、予め定められた第３のユーザ操作によって前記記憶媒体内にあるディレクトリのディレクトリ名とそのディレクトリの作成日時とを一覧表示する第３の表示手段と、前記第３の表示手段によって一覧表示されたディレクトリの中から再生対象ディレクトリを選択する第３の選択手段と、前記第３の選択手段によって選択された再生対象ディレクトリの下に位置する音楽ファイルを再生する第３の再生手段とを具備し、さらに、表示対象期間を指定する指定手段と、前記表示対象期間に作成されたディレクトリ数、ディレクトリ名、及び／又は各ディレクトリの作成日時を表示する第４の表示手段と、前記第４の表示手段によって表示されたディレクトリの下に位置する音楽ファイルを再生する第４の再生手段とを具備し、さらに、最大検索数を設定する設定手段を設け、前記表示対象期間に作成されたディレクトリの合計数が前記最大検索数を上回った場合には、前記最大検索数分のみのディレクトリ数、ディレクトリ名、及び／又は各ディレクトリの作成日時を表示する第５の表示手段と、前記第５の表示手段によって表示されたディレクトリの下に位置する音楽ファイルを再生する第５の再生手段とを具備することを特徴とする。
この第３のオーディオプレーヤーは、前記第４または第５の表示手段によって複数のディレクトリ名が表示された場合、前記複数のディレクトリ名の中から再生対象ディレクトリを選択する第４の選択手段と、前記第４の選択手段によって選択された再生対象ディレクトリの下に位置する音楽ファイルを再生する第６の再生手段とを具備することが好ましい。
【０００８】
また、上記第１のオーディオプレーヤーは、前記音楽ファイルに対応付けられているジャンル名を変更する手段を具備することが好ましい。
さらに、上記第２および第３のオーディオプレーヤーにおいて、前記表示対象期間は日付、時刻、及び／又は曜日で指定することが好ましい。
【０００９】
【発明の実施の形態】
次に、図１〜１９を参照して本発明をＣＤプレーヤーに適用した場合の実施の形態を詳細に説明する。図１は本発明を適用したＣＤプレーヤー内部の概略図である。また、図２〜１９は本発明を説明するための画面を表した図である。なお、ここでいうディスクとは音楽ＣＤを意味する。
【００１０】
図１において、ＣＰＵ１０１がＣＤプレーヤー全体の制御を行う。ＣＰＵ１０１は、ＲＯＭ１０３、操作部１０５、不揮発性ＲＡＭ１０７、ＣＤドライブ部１０９、及び表示部１１１と接続している。ＲＯＭ１０３にはＣＤプレーヤーの各種機能を動作させるためのプログラムや、システムデータ等が記憶されている。ユーザは操作部１０５を用いてディスクの再生、再生ボリュームの調整、およびＣＤドライブ部１０９へのディスクの出入れ等を行う。不揮発性ＲＡＭ１０７はワーキングエリアに使用されるほか、後述するディスク情報等の読み書きを行う。
【００１１】
図２に示すのは前述のディスク情報である。ディスク情報はＣＤドライブ部１０９に挿入されているディスクに記録されている音楽ファイルのファイル名（列２０１）、各音楽ファイルのジャンル（列２０３）、記録日（列２０５）、及び記録時刻（列２０７）で構成される。１行目のデータを例にして、具体的に説明すると、列２０１のファイル名「Ｃ００１．ＭＰ３」の音楽ファイルに関する情報は、列２０３からそのジャンルがクラシックであることがわかる。さらに、列２０５を参照するとその記録日は１９９８年の２月２８日であることがわかり、列２０７を参照するとその記録時刻は１３時００分であることがわかる。同様に、２行目にはファイル名「Ｃ００３．ＭＰ３」の音楽ファイルに関する情報、３行目はファイル名「Ｃ００２．ＭＰ３」の音楽ファイルに関する情報が記憶されている。
【００１２】
本発明の実施の形態では、ＲＯＭ１０３又はＲＡＭ１０７にデフォルトのジャンル名を記憶しておき、各音楽ファイルの記録時にはこのデフォルトのジャンル名と各ファイル名とを対応付けてディスク情報に記憶しておくこととする。なお、最初に対応付けされたジャンル名はユーザによって改めて変更することが可能である。このときのジャンル編集画面を図３に示す。
【００１３】
図３を参照すると、曲名欄３０１にはファイル名「Ｃ００１．ＭＰ３」が表示されている。現在のジャンル名欄３０３には、現在のジャンル名（クラシック）が表示されている。３０５は新しいジャンル名をユーザが入力するための入力欄である。新たなジャンル名を入力し終わったユーザは決定ボタン３０７を押下する。一方、ジャンル名の変更を途中で中止したい場合などには終了ボタン３０９を押下する。以上のようにして、変更されたジャンル名は図２のディスク情報にも反映される。
【００１４】
＜第１の実施の形態＞
まずはじめに、本発明の第１の実施の形態を説明する。この場合、検索対象はジャンル／音楽ファイル／ディレクトリであり、検索範囲はディスク全体である。
図４はディスク情報（図２）に基づいて、ディスク内にある全ジャンルと各ジャンルに属する曲数（この場合、音楽ファイル数）とを一覧表示したジャンル表示画面である。同画面のジャンルリスト４０１には上からクラシック、ジャス、ソウル、ブルース、ポップス（邦楽）、ポップス（洋楽）、ロックの順でジャンル名とその曲数が表示されている。また、表示欄４０５にはディスク内の総ジャンル数が表示されている。ユーザはジャンルリスト４０１の中から再生対象ジャンルを選択する。つづいて、選択ボタン４０３を押下すると選択されたジャンルに属する楽曲が再生される。
【００１５】
図５はディスク情報（図２）に基づいて、ディスク内にある音楽ファイルのファイル名（５０１の右側）とそのファイルの記録日時（５０１の左側）とを一覧表示した記録日時表示画面である。同画面のファイルリスト５０１には上から「Ｃ００１．ＭＰ３」、「Ｃ００３．ＭＰ３」、「Ｃ００２．ＭＰ３」、「Ｊ００７．ＭＰ３」の順でファイル名とその記録日時とが表示されている。ユーザはファイルリスト５０１の中から再生対象ファイルを選択する（複数選択可）。つづいて、選択ボタン５０３を押下すると選択された音楽ファイルが再生される。
【００１６】
図６を参照すると、ディスク内に４つのディレクトリ（Ｄｉｒ００１〜００４）が存在し、それらの下に音楽ファイルが振分けられている場合に、ディスク内にあるディレクトリのディレクトリ名（６０１の右側）とそのディレクトリの作成日時（６０１の左側）とを一覧表示した作成日時表示画面が示されている。同画面のディレクトリリスト６０１には上から「Ｄｉｒ００１」、「Ｄｉｒ００２」、「Ｄｉｒ００３」、「Ｄｉｒ００４」の順でディレクトリ名とその作成日時とが表示されている。ユーザはディレクトリリスト６０１の中から再生対象ファイルを選択する。つづいて、選択ボタン６０３を押下すると、選択されたディレクトリの下に振分けられている音楽ファイルが再生される。
【００１７】
＜第２の実施の形態＞
次に、本発明の第２の実施の形態を説明する。この場合、検索対象はジャンルであり、検索範囲はユーザによって指定された特定ジャンルである。
図７はディスク内にあるジャンルの中から特定のジャンルを検索し、表示させたときの画面である。ジャンル名入力欄７０１に「ポ」を入力すると、頭文字が「ポ」であるジャンル、ポップス（邦楽）及びポップス（洋楽）が検索ジャンル一覧画面７０５に表示される。さらに、項目数欄７０７には頭文字が「ポ」であるジャンルの数「２」が表示される。この状態で、決定ボタン７０３を押下すると、これらの２ジャンル、ポップス（邦楽）及びポップス（洋楽）に属している音楽ファイルが再生される。
【００１８】
図８は図７と同様にディスク内にあるジャンルの中から特定のジャンルを検索し、表示させたときの画面である。ジャンル名入力欄８０１に「ポ」を入力すると、頭文字が「ポ」であるジャンル、ポップス（邦楽）及びポップス（洋楽）が検索ジャンル一覧リスト８０５に表示される。さらに、項目数欄８０７には頭文字が「ポ」であるジャンルの数「２」が表示される。この状態で、決定ボタン８０３を押下すると、これらの２ジャンル、ポップス（邦楽）及びポップス（洋楽）に属している音楽ファイルが再生される。
【００１９】
一方、図８の状態で表示ボタン８０９を押下すると、図９に示す画面が表示される。図９において、ジャンル一覧リスト９０１には、図８の検索ジャンル一覧リスト８０５に表示されていたポップス（邦楽）及びポップス（洋楽）に相当する、ＰＯＰＳ（ＪＡＰＡＮ）及びＰＯＰＳ（ＵＫ，ＵＳ，ｅｔｃ・・・）が表示されている。
【００２０】
ジャンル一覧リスト９０１にはジャンル名のほかに各ジャンルに属している音楽ファイル数（この場合、ポップス（邦楽）は４曲、ポップス（洋楽）は３曲）も表示されている。さらに、ジャンル数欄９０５には頭文字が「ポ」であるジャンルの数「２」が表示される。この状態で、ジャンル一覧リスト９０１にある２ジャンルの中から再生対象ジャンルを選択し（複数選択可）、選択ボタン９０７を押下すると、選択された再生対象ジャンルに属している音楽ファイルが再生される。
【００２１】
＜第３の実施の形態＞
次に、本発明の第３の実施の形態を説明する。この場合、検索対象は音楽ファイルであり、検索範囲は指定期間内に記憶された音楽ファイルである。
図１０はユーザが表示対象期間を指定し、ディスク内にある音楽ファイルの中からその期間内に記録された音楽ファイルのみを検索して表示させたときの画面である。図１０において、表示対象開始時刻入力欄１００１には１９９８年２月２８日０時０分０秒と入力され、表示対象終了時刻入力欄１００３には２０００年１月１日１２時０分０秒と入力されている。曲数表示欄１００５にはディスク内にある音楽ファイルで上記期間に記録されたファイル数（１７曲）が表示されている。そして、この状態で決定ボタン１００７を押下すると、上記期間内に記録された全音楽ファイル１７曲が再生される。
【００２２】
図１１は図１０と同様にユーザが表示対象期間を指定し、ディスク内にある音楽ファイルの中からその期間内に記録された音楽ファイルを検索して表示させたときの画面である。なお、図１１では表示対象期間のほかに最大検索数をユーザが指定し、上記表示対象期間に記録された音楽ファイルの全ファイル数が最大検索数を上回った場合には、最大検索数のみのファイル数を表示している。
【００２３】
図１１において、表示対象開始時刻入力欄１１０１には１９９８年２月２８日０時０分０秒と入力され、表示対象終了時刻入力欄１００３には２０００年１月１日１２時０分０秒と入力されている。ここで、図２のディスク情報を参照すると、ディスク内にある音楽ファイルで上記期間に記録されたファイル数は１７曲存在する。しかし、最大検索数入力欄１１０９に最大１５曲まで検索するように指定されているため、曲数表示欄１１０５には最大検索数の１５曲が表示されている。よって、この状態で決定ボタン１１０７を押下すると、上記期間内に記録された全音楽ファイルのうち１５曲が再生される。
【００２４】
図１２も図１０及び図１１と同様に、ユーザが表示対象期間を指定し、ディスク内にある音楽ファイルの中からその期間内に記録された音楽ファイルのみを検索して表示させたときの画面である。図１２において、表示対象開始時刻入力欄１２０１には１９９８年２月２８日０時０分０秒と入力され、表示対象終了時刻入力欄１２０３には２０００年１月１日１２時０分０秒と入力されている。曲数表示欄１２０５にはディスク内にある音楽ファイルで上記期間に記録されたファイル数（１７曲）が表示されている。そして、この状態で決定ボタン１２０７を押下すると、上記期間内に記録された全音楽ファイル１７曲が再生される。
【００２５】
一方、図１２の状態で表示ボタン１２０９を押下すると、図１３に示す画面が表示される。図１３のファイル一覧リスト１３０１には、図１２の曲数表示欄１２０５に表示されていたファイル数（この場合、１７曲）の音楽ファイルが表示される。本実施の形態ではこのファイル一覧リスト１３０１に１度に４曲しか表示できないため、５曲目〜８曲目の音楽ファイル名を表示させたい場合には「次へ」ボタン１３０５を押下する。同様に９曲目〜１２曲目の音楽ファイル名を表示させたい場合には、続けて「次へ」ボタン１３０５を押下する。９曲目〜１２曲目の音楽ファイル名を表示させたのち、１曲目〜４曲目や５曲目〜８曲目の音楽ファイル名を再度表示させたい場合には「前へ」ボタン１３０３を押下する。ユーザはファイル一覧リスト１３０１にある音楽ファイルの中から再生対象ファイルを選択し（複数選択可）、選択ボタン１３０７を押下する。以上のような手順で選択された再生対象ファイルが再生される。
【００２６】
＜第４の実施の形態＞
次に、本発明の第４の実施の形態を説明する。この場合、検索対象はディレクトリであり、検索範囲は指定期間内に作成されたディレクトリである。
図１４はユーザが表示対象期間を指定し、ディスク内にあるディレクトリの中からその期間内に作成されたディレクトリのみを検索して表示させたときの画面である。図１４において、表示対象開始時刻入力欄１４０１には１９９８年４月１日０時０分０秒と入力され、表示対象終了時刻入力欄１４０３には２０００年１月１日１２時０分０秒と入力されている。ディレクトリ数表示欄１４０５にはディスク内にあるディレクトリで上記期間に作成されたディレクトリ数（３つ）が表示されている。そして、この状態で決定ボタン１４０７を押下すると、上記期間内に作成された上記３つのディレクトリの下に位置付けられている音楽ファイルが再生される。
【００２７】
図１５は図１４と同様にユーザが表示対象期間を指定し、ディスク内にあるディレクトリの中からその期間内に作成されたディレクトリを検索して表示させたときの画面である。なお、図１５では表示対象期間のほかに最大検索数をユーザが指定し、上記表示対象期間に作成されたディレクトリの数が最大検索数を上回った場合には、最大検索数のみのディレクトリ数を表示している。
【００２８】
図１５において、表示対象開始時刻入力欄１５０１には１９９８年４月１日０時０分０秒と入力され、表示対象終了時刻入力欄１５０３には２０００年１月１日１２時０分０秒と入力されている。図１４を参照すると、ディスク内にあるディレクトリで上記期間に作成されたディレクトリは３つ存在する。しかし、最大検索数入力欄１５０９に最大２つまで検索するように指定されているため、ディレクトリ数表示欄１５０５には最大検索数の「２」が表示されている。よって、この状態で決定ボタン１５０７を押下すると、最大検索数である２つのディレクトリの下に位置付けられている音楽ファイルのみが再生される。
【００２９】
図１６も図１４及び図１５と同様に、ユーザが表示対象期間を指定し、ディスク内にあるディレクトリの中からその期間内に作成されたディレクトリのみを検索して表示させたときの画面である。図１６において、表示対象開始時刻入力欄１６０１には１９９８年１１月１日０時０分０秒と入力され、表示対象終了時刻入力欄１６０３には２０００年１月１日１２時０分０秒と入力されている。ディレクトリ数表示欄１６０５にはディスク内にあるディレクトリで上記期間に作成されたディレクトリ数（２つ）が表示されている。そして、この状態で決定ボタン１６０７を押下すると、上記期間内に作成されたこれら２つのディレクトリの下に位置付けられている音楽ファイルが再生される。
【００３０】
一方、図１６の状態で表示ボタン１６０９を押下すると、図１７に示す画面が表示される。ディレクトリ一覧リスト１７０１には、図１６のディレクトリ数表示欄１６０５に表示されていたディレクトリ数（この場合、２つ）のディレクトリが表示される。ユーザはディレクトリ一覧リスト１７０１にあるディレクトリの中から再生対象ディレクトリを選択し（複数選択可）、選択ボタン１７０７を押下する。そうすると、選択された再生対象ディレクトリの下に位置付けられている音楽ファイルが再生される。
【００３１】
＜第５の実施の形態＞
次に、本発明の第５の実施の形態を説明する。この場合、検索対象は音楽ファイル／ディレクトリであり、検索範囲は特定の曜日に記憶（作成）された音楽ファイル（ディレクトリ）である。
本実施の形態で適用したオーディオプレーヤーはカレンダー機能も有しているため、記録日時に基づいて記録曜日（ディレクトリの場合は作成曜日）を導出することができる。よって、特定の曜日に記録（作成）された音楽ファイル（ディレクトリ）を検索し、再生することも可能である（ディレクトリの場合は、その下に位置する音楽ファイルを再生することが可能）。
【００３２】
図１８は曜日入力欄１８０１に「土曜日」と入力し、土曜日に記録された音楽ファイルの数を表示させたときの画面である。曲数表示欄１８０３には土曜日に記録された音楽ファイル数（４曲）が表示されており、この状態で決定ボタン１８０５を押下するとこれら４曲の音楽ファイルが再生される。
一方、図１８の状態で表示ボタン１８０７を押下すると、図１９に示す画面が表示される。ファイル一覧リスト１９０１には、図１８の曲数表示欄１８０３に表示されていたファイル数（この場合、４曲）の音楽ファイルが表示される。本実施の形態ではこのファイル一覧リスト１９０１に４曲しか表示できないため、該当する音楽ファイルが５曲以上ある場合、５曲目〜８曲目の音楽ファイル名を表示させたいときには「次へ」ボタン１９０５を押下する。同様に９曲目〜１２曲目の音楽ファイル名を表示させたい場合には、続けて「次へ」ボタン１９０５を押下する。９曲目〜１２曲目の音楽ファイル名を表示させたのち、１曲目〜４曲目や５曲目〜８曲目の音楽ファイル名を再度表示させたい場合には「前へ」ボタン１９０３を押下する。ユーザはファイル一覧リスト１９０１にある音楽ファイルの中から再生対象ファイルを選択し（複数選択可）、選択ボタン１９０７を押下する。以上のような手順で、選択された再生対象ファイルが再生される。
【００３３】
以上、本発明の実施の形態を説明したが、本発明のオーディオプレーヤーはＣＤプレーヤーに限定されず、ＭＤプレーヤーおよびＤＶＤプレーヤー等に適用することも可能である。また、ディスク情報のデータ構成も上記説明に限定されないことは明らかである。
【００３４】
【発明の効果】
このように本発明によれば、どのような音楽ファイルがディスク内に記録されているのかがわかりやすく、さらに選曲にかかる時間を短縮できるオーディオプレーヤーを提供することが可能である。
【図面の簡単な説明】
【図１】本発明によるオーディオディスクを示す機能ブロック図。
【図２】ディスク情報のデータ構成図。
【図３】音楽ファイルのジャンル名を編集するときの画面を表した図。
【図４】本発明の第１の実施の形態を説明する画面を表した図。
【図５】本発明の第１の実施の形態を説明する画面を表した図。
【図６】本発明の第１の実施の形態を説明する画面を表した図。
【図７】本発明の第２の実施の形態を説明する画面を表した図。
【図８】本発明の第２の実施の形態を説明する画面を表した図。
【図９】本発明の第２の実施の形態を説明する画面を表した図。
【図１０】本発明の第３の実施の形態を説明する画面を表した図。
【図１１】本発明の第３の実施の形態を説明する画面を表した図。
【図１２】本発明の第３の実施の形態を説明する画面を表した図。
【図１３】本発明の第３の実施の形態を説明する画面を表した図。
【図１４】本発明の第４の実施の形態を説明する画面を表した図。
【図１５】本発明の第４の実施の形態を説明する画面を表した図。
【図１６】本発明の第４の実施の形態を説明する画面を表した図。
【図１７】本発明の第４の実施の形態を説明する画面を表した図。
【図１８】本発明の第５の実施の形態を説明する画面を表した図。
【図１９】本発明の第５の実施の形態を説明する画面を表した図。
【図２０】従来のオーディオプレーヤーを説明する画面を表した図。
【図２１】従来のオーディオプレーヤーを説明する画面を表した図。
【符号の説明】
１０１      ＣＰＵ
１０３      ＲＯＭ
１０７      ＲＡＭ
【図１】
0003683794.tif 000002
【図２】
0003683794.tif 000003
【図３】
0003683794.tif 000004
【図４】
0003683794.tif 000005
【図５】
0003683794.tif 000006
【図６】
0003683794.tif 000007
【図７】
0003683794.tif 000008
【図８】
0003683794.tif 000009
【図９】
0003683794.tif 000010
【図１０】
0003683794.tif 000011
【図１１】
0003683794.tif 000012
【図１２】
0003683794.tif 000013
【図１３】
0003683794.tif 000014
【図１４】
0003683794.tif 000015
【図１５】
0003683794.tif 000016
【図１６】
0003683794.tif 000017
【図１７】
0003683794.tif 000018
【図１８】
0003683794.tif 000019
【図１９】
0003683794.tif 000020
【図２０】
0003683794.tif 000021
【図２１】
0003683794.tif 000022